(57)【要約】【課題】  本発明は、１つの帳票で２以上の取引処理を実施する際の誤操作の発生を低減させることを目的とする。【解決手段】  帳票取扱装置は、帳票の画像データを取得する画像データ取得部と、画像データ取得部により取得された帳票の画像データを保持する帳票データ記憶部と、帳票の内容に基づいた電文データを作成する電文作成部と、電文作成部によって１つの帳票に基づいて複数の電文データが作成された場合に、帳票データ記憶部に保持された帳票の画像データを用いて、複数の電文データに画像データをそれぞれ関連づける履歴処理部と、を備える。【選択図】図１
2009026198.tif 000002
【特許請求の範囲】
【請求項１】
帳票取扱装置であって、
帳票の画像データを取得する画像データ取得部と、
前記画像データ取得部により取得された帳票の画像データを保持する帳票データ記憶部と、
帳票の内容に基づいた電文データを作成する電文作成部と、
前記電文作成部によって１つの帳票に基づいて複数の電文データが作成された場合に、前記帳票データ記憶部に保持された前記帳票の画像データを用いて、前記複数の電文データに前記画像データをそれぞれ関連づける履歴処理部と、を備えた帳票取扱装置。
【請求項２】
請求項１に記載の帳票取扱装置において、
前記履歴処理部は、前記帳票データ記憶部に保持された前記帳票の画像データを複製し、前記複数の電文データに複製した前記画像データを関連づける帳票取扱装置。
【請求項３】
請求項１に記載の帳票取扱装置において、
前記履歴処理部は、前記帳票データ記憶部に保持された帳票の画像データと、前記複数の電文データとを関連づける仲介データを生成し、前記仲介データを用いて前記複数の電文データに前記画像データをそれぞれ関連づける帳票取扱装置。
【請求項４】
請求項１ないし請求項３のいずれか１の請求項に記載の帳票取扱装置において、
前記履歴処理部は、前記電文作成部によって１つの電文データが作成される度に、逐次前記電文データに前記画像データを関連づける帳票取扱装置。
【請求項５】
請求項４に記載の帳票取扱装置において、
前記履歴処理部は、前記関連づけを実施した後に、前記帳票データ記憶部に保持された帳票の画像データを破棄するかどうかを判断する帳票取扱装置。
【請求項６】
請求項５に記載の帳票取扱装置において、
前記履歴処理部は、前記判断を、帳票の画像データを保持するための条件を定義した画像データ継続条件定義テーブルに基づいて実施する帳票取扱装置。
【請求項７】
請求項６に記載の帳票取扱装置はさらに、
帳票に基づいた取引画面を表示する表示部を備え、
前記表示部が表示する内容が前記画像データ継続条件定義テーブルに定義された条件の全部もしくは一部である帳票取扱装置。
【請求項８】
帳票による取引を行う帳票取扱方法であって、
帳票の画像データを取得する工程と、
取得された帳票の画像データを保持する工程と、
帳票の内容に基づいた電文データを作成する工程と、
１つの帳票に基づいて複数の電文データを作成した場合に、保持した帳票の画像データを用いて、前記複数の電文データに前記画像データをそれぞれ関連づける工程と、を備えた帳票取扱方法。
【発明の詳細な説明】
【技術分野】
【０００１】
本発明は、金融機関における帳票取扱装置に関する。
【背景技術】
【０００２】
従来から、金融機関においては、取引に不具合が生じた際、事後的に処理内容の確認ができるように、端末からホストコンピュータへ送信した取引のデータや取引に用いられた帳票の保管をおこなっている。
【０００３】
帳票による取引をおこなう際、帳票をスキャナで取り込み、取引処理を実行するとともに、帳票の画像データを保管することがおこなわれており、複数枚の帳票を連続して取り込む技術についても開示されている。（例えば、特許文献１）
【特許文献１】特開２００５−１９６５２４号公報
【０００４】
しかし、実行された取引処理の確認は、入金、出金といった取引の処理単位ごとに処理の内容と帳票の記載とを比較しておこなわれることが多く、１つの帳票で２以上の取引処理を実行する場合は、取引処理ごとに帳票の画像データを対応させることが必要となる。そのため、オペレータは、取引処理の都度、帳票の画像を再度取得しなければならず、誤操作の原因となることがあった。
【発明の開示】
【発明が解決しようとする課題】
【０００５】
本発明は、上記した従来の課題の少なくとも一部を解決するためになれた発明であり、１つの帳票で２以上の取引処理を実施する際の誤操作の発生を低減させることを目的とする。
【課題を解決するための手段】
【０００６】
上記課題の少なくとも一部を解決するための本願発明は以下の態様をとる。
【０００７】
本発明の第１の態様は、帳票取扱装置を提供する。本発明の第１の態様に係る帳票取扱装置は、帳票の画像データを取得する画像データ取得部と、前記画像データ取得部により取得された帳票の画像データを保持する帳票データ記憶部と、帳票の内容に基づいた電文データを作成する電文作成部と、前記電文作成部によって１つの帳票に基づいて複数の電文データが作成された場合に、前記帳票データ記憶部に保持された前記帳票の画像データを用いて、前記複数の電文データに前記画像データをそれぞれ関連づける履歴処理部と、を備える。
【０００８】
本発明の第１の態様に係る帳票取扱装置によれば、一つの帳票により複数の取引処理を実行する場合にも、取得した帳票の画像データを保持し、作成した複数の電文データと関連づけをおこなうため、取引処理ごとに再度同じ帳票のイメージを読み込ませる必要がなく、誤操作の発生を低減させることができる。
【０００９】
本発明の第１の態様に係る帳票取扱装置において、前記履歴処理部は、前記帳票データ記憶部に保持された前記帳票の画像データを複製し、前記複数の電文データに複製した前記画像データを関連づけてもよい。この場合には帳票の画像データを複製することで、複製した画像データを複数の電文データのそれぞれと直接関連づけることができる。
【００１０】
本発明の第１の態様に係る帳票取扱装置において、前記履歴処理部は、前記帳票データ記憶部に保持された帳票の画像データと、前記複数の電文データとを関連づける仲介データを生成し、前記仲介データを用いて前記複数の電文データに前記画像データをそれぞれ関連づけてもよい。この場合には、帳票の画像データと複数の電文データのそれぞれとを仲介データを介して間接的に関連づけることができる。
【００１１】
本発明の第１の態様に係る帳票取扱装置において、前記履歴処理部は、前記電文作成部によって１つの電文データが作成される度に、逐次前記電文データに前記画像データを関連づけてもよい。この場合には、複数の電文データと帳票の画像データの関連づけをおこなう場合でも、１つの電文データが作成される都度、帳票の画像データとの関連づけができる。
【００１２】
本発明の第１の態様に係る帳票取扱装置において、前記履歴処理部は、前記関連づけを実施した後に、前記帳票データ記憶部に保持された帳票の画像データを破棄するかどうかを判断してもよい。この場合には、関連づけを実施した後に帳票の画像データを保持するか破棄するかを決定することができる。
【００１３】
本発明の第１の態様に係る帳票取扱装置において、前記履歴処理部は、前記判断を、帳票の画像データを保持するための条件を定義した画像データ継続条件定義テーブルに基づいて実施してもよい。この場合には、テーブルにより帳票の画像データを保持する条件を定義できる。
【００１４】
本発明の第１の態様に係る帳票取扱装置はさらに、帳票に基づく取引画面を表示する表示部を備え、前記表示部が表示する内容が前記画像データ継続条件定義テーブルに定義された条件の全部もしくは一部であってもよい。この場合には、表示内容により、帳票の画像データを保持するかを決定できる。
【００１５】
なお、本発明は、種々の態様で実現することが可能であり、例えば１つの帳票に基づいて複数の電文データが作成された場合の、帳票の画像データと複数の電文データとをそれぞれ関連づける帳票取扱方法として実現することができる。または、装置の機能を実現するためのコンピュータプログラム、そのコンピュータプログラムを記録した記録媒体等の態様で実現することができる。
【発明を実施するための最良の形態】
【００１６】
以下、本発明に係る帳票取扱装置について、図面を参照しつつ、実施例に基づいて説明する。
【００１７】
・第１の実施例：
第１の実施例に係る帳票取扱装置の構成について図１〜図３を参照して説明する。図１は第１の実施例に係る帳票取扱装置の概略構成を示す説明図である。
【００１８】
図１に示すように、本実施例に係る帳票取扱装置１０は、主な構成要件として、帳票による取引をおこなうための端末１００と、取引画面を表示するディスプレイ２００と、帳票の画像データを取得するスキャナ３００と、取引に必要な情報を入力するためのキーボード４００と、を備えている。端末１００は専用線５００を介して図示しないホストコンピュータと接続されている。
【００１９】
端末１００は制御部１１０と、出力インターフェイス１２０と、帳票データ記憶部１３０と、入力インターフェイス１４０と、ネットワークインターフェイス１５０と、を備えている。
【００２０】
制御部１１０は、ＲＯＭやＲＡＭ等のメモリ１１１と中央演算装置であるＣＰＵ１１２により構成されている。メモリ１１１には、帳票識別モジュール１１３と、電文作成モジュール１１４と、表示制御モジュール１１５と、履歴処理モジュール１１６と、画像データ継続条件定義テーブルＣＴと、画面表示テーブルＤＴと、が格納されている。制御部１１０は、ＣＰＵ１１２と上記各モジュールにより、帳票による取引処理のために必要な制御をおこなう。
【００２１】
帳票識別モジュール１１３は、ＣＰＵ１１２によって実行され、スキャナ３００により取得された帳票の画像データから、帳票の種別、取引金額、その他取引処理に必要な情報の抽出をおこなう。帳票識別モジュール１１３はＣＰＵ１１２に処理されることによって帳票識別部の機能を提供する。
【００２２】
電文作成モジュール１１４は、ＣＰＵ１１２によって実行され、スキャナ３００やキーボード４００を介して入力された帳票の内容に基づいた電文データを作成する。この電文データは、ホストコンピュータに帳票に基づいた取引処理を実行させるためのデータであり、専用線５００を介してホストコンピュータに送信される。電文作成モジュール１１４はＣＰＵ１１２に処理されることによって電文作成部の機能を提供する。
【００２３】
ここで取引処理とは、振込処理や入金処理などの処理をいう。ホストコンピュータに取引処理を実行させるために帳票取扱装置１０より送信する電文を取引処理要求電文という。また、振込処理、入金処理を実行させるための電文を振込処理要求電文、入金処理要求電文という。
【００２４】
表示制御モジュール１１５は、ＣＰＵ１１２によって実行され、後述する画面表示テーブルＤＴを参照して取引画面を選択し、選択した画面をディスプレイ２００に表示させる。表示制御モジュール１１５はＣＰＵ１１２に処理されることによって表示制御部としての機能を提供する。
【００２５】
履歴処理モジュール１１６は、ＣＰＵ１１２によって実行され、帳票データ記憶部１３０に保持された帳票の画像データを複製し、電文作成部により作成された電文データと画像データの関連づけをおこなう。履歴処理モジュール１１６はＣＰＵ１１２に処理されることによって履歴処理部としての機能を提供する。
【００２６】
ここで関連づけとは、画像データと電文データの２つのデータを１つのデータに変換することのほか、同じフォルダに２つのデータを格納することや、２つのデータに同じ識別子を与えることなど、２つのデータに対応関係があることをわかる状態にすることすべてを意味する。
【００２７】
制御部１１０は、上記各機能を備えた機能部である。上記各機能は、本実施例においてソフトウエア的に構成されているが、集積回路などを用いて、ハードウエア的に構成することも可能である。
【００２８】
帳票データ記憶部１３０は、ＲＯＭやＲＡＭ等のメモリ、もしくはハードディスクドライブなどの記憶装置であり、スキャナ３００により取得された帳票の画像データを保持する。また、制御部１１０による破棄要求を受け、保持している帳票の画像データの破棄を実行する。端末１００は、ネットワークインターフェイス１５０に接続された専用線５００を介してホストコンピュータと接続され、取引に必要な情報のやりとりをおこなう。
【００２９】
ディスプレイ２００は、出力インターフェイス１２０を介して端末１００と接続されている。ディスプレイ２００は、端末１００から表示する画面についての情報を受け、画面を表示することでオペレータに取引に必要な情報を提供する。
【００３０】
スキャナ３００とキーボード４００は、入力インターフェイス１４０を介して端末１００と接続され、帳票に記載された情報を端末１００に送信する。スキャナ３００は、画像データを取得する装置である。キーボード４００は、オペレータの要求を端末１００に伝える装置であり、マウスなど、同じ機能を有する装置でもよい。
【００３１】
図２は画像データ継続条件定義テーブルＣＴの内容を示す説明図である。画像データ継続条件定義テーブルＣＴは、一つの電文データと帳票の画像データとの関連づけが終了した際に、帳票データ記憶部１３０が保持している帳票の画像データを継続して保持するか、破棄するかを制御部１１０が判断するための条件を定義する。
【００３２】
画像データ継続条件定義テーブルＣＴには、「端末識別番号」と、「表示画面」と、「帳票ＩＤ」と、「入力フィールド」と、「その他」、の５つの項目に対応した条件が登録されている。「端末識別番号」とは、オペレータが作業を実施している端末の識別番号である。「表示画面」とは、ディスプレイ２００が表示している取引画面である。「入力フィールド」とは取引画面に表示された取引金額などを入力する領域である。「その他」とは、上記条件の他に設定可能な項目であり、例えば端末を取り扱う人の属性やログイン時の権限などがある。
【００３３】
画像データ継続条件定義テーブルＣＴには上記の５つの項目それぞれの条件の組み合わせが登録されている。図２では７通りの組み合わせを示しており、例として一つ目の組み合わせを説明する。一つ目の組み合わせは、使用している端末の識別番号が「１２３４」であり、振込画面を表示し、画面に表示された入力フィールド１に「ｆｆｆ」、入力フィールド２に「ｇｇｇ」の入力がある取引状態を示している。制御部１１０は、所定の時点における帳票取扱装置１０の取引状態が定義テーブルに登録された組み合わせに該当する場合に帳票の画像データを保持すると判断する。なお、組み合わせは追加することが可能である。
【００３４】
図３は画面表示テーブルＤＴの内容を示す説明図である。画面表示テーブルＤＴは、帳票による取引時にディスプレイ２００に表示させる画面を定義する。画面表示テーブルＤＴは、「帳票ＩＤ」と、「表示画面」と、「入力コマンド」と、「出力画面」の項目が登録されている。項目は例示でありその他にも設定可能である。
【００３５】
「帳票ＩＤ」とは、帳票に記載されたＩＤであり、キーボード４００により入力されるほか、スキャナ３００により取得された画像データをＯＣＲ処理することによっても取得できる。「表示画面」とは、ディスプレイ２００に表示された画面である。「入力コマンド」とは、キーボード４００により入力された内容である。
【００３６】
画面表示テーブルＤＴには、ディスプレイ２００に表示させる「出力画面」と対応した、「帳票ＩＤ」と、「表示画面」と、「入力コマンド」の内容の組み合わせが登録されている。図３に示すように、スキャナ３００により取得された帳票のＩＤが「aaaa」であれば、制御部１１０はディスプレイ２００に「振込」画面を表示させる。また、振込画面に表示された所定の入力フィールドに「ｖｖ」の入力があれば「入金」画面を表示させる。図は例示であり、そのほかにも様々な条件が設定可能である。
【００３７】
図４を参照して第１の実施例に係る帳票取扱装置の動作について説明する。図４は第１の実施例に係る帳票取扱装置の動作を示すフローチャートである。具体例として、振込処理と入金処理が記載された帳票Ａによる取引処理について説明する。
【００３８】
端末１００は、スキャナ３００により取得された帳票Ａの画像データを受信する（ステップＳ１０１）。帳票データ記憶部１３０は、受信した帳票Ａの画像データを保持する（ステップＳ１０２）。制御部１１０は、画面表示テーブルＤＴに基づき、帳票Ａによる取引に必要な取引画面をディスプレイ２００に表示させる。（ステップＳ１０５）。
【００３９】
端末１００は、キーボード４００を介して、オペレータにより入力された、振込先銀行、振込先口座、振込金額といった振込に必要な情報（以後「振込必要情報」という）を取得する。端末１００が取引必要情報を受信する方法は、キーボード４００からに限られない。例えば、スキャナ３００により取得した帳票の画像データから取引に必要な内容が記載された部分を判別し、ＯＣＲ処理を実施して取引必要情報を取得することも可能である。
【００４０】
制御部１１０は、振込必要情報に基づく振込処理をホストコンピュータ実行させるため、振込必要情報を参照して振込処理要求電文を作成する（ステップＳ１０６）。制御部１１０は、振込処理要求電文を帳票データ記憶部１３０に保持させるとともに、ネットワークインターフェイス１５０より専用線５００を経由してホストコンピュータに送信する。ホストコンピュータは振込処理要求電文を受信し、電文に基づいた振込処理を実行する。振込処理要求電文は、帳票データ記憶部１３０以外の記憶装置が保持してもよい。
【００４１】
制御部１１０は、帳票データ記憶部１３０に保持された帳票Ａの画像データを複製する。制御部１１０は、複製した帳票Ａの画像データと帳票データ記憶部１３０に保持された振込処理要求電文との関連づけをおこなう（ステップＳ１０７）。制御部１１０は、関連づけをおこなったデータを図示しない記憶装置に格納する。図示しない記憶装置は、端末１００にあってもよいし、ホストコンピュータにあってもよい。
【００４２】
制御部１１０は、ホストコンピュータから帳票Ａに基づく振込処理が完了した通知を受信すると、新しい取引処理を実行するか否かについての確認文をディスプレイ２００に表示する。制御部１１０は、キーボード４００を介して、オペレータにより入力された次取引をおこなうか否かの指示を受信し、処理を継続するか判断する（ステップＳ１１０）。制御部１１０は、取引処理を終了する指示を受信した場合には（ステップＳ１１０：ＮＯ）、帳票Ａの画像データを破棄し（ステップＳ１１１）、処理を終了する。
【００４３】
一方、制御部１１０は、次の取引処理を実行する指示を受信した場合には（ステップＳ１１０：ＹＥＳ）、次の取引処理により作成される電文データと関連づけるために帳票データ記憶部１３０に保持されている帳票Ａの画像データを保持するか否か判断する（ステップＳ１２０）。制御部１１０は、帳票取扱装置１０の取引状態が画像データ継続条件定義テーブルＣＴに登録された組み合わせに該当するか否かによって判断をおこなう。
【００４４】
定義テーブルに帳票取扱装置１０の取引状態に該当する組み合わせがある場合（ステップＳ１２０：ＹＥＳ）、制御部１１０は、帳票データ記憶部１３０に継続して帳票Ａの画像データを保持させる（ステップＳ１２１）。その後、制御部１１０は、帳票Ａに基づく２つ目の処理である入金処理についてステップＳ１０５からステップＳ１２２を実行する。制御部１１０は、帳票データ記憶部１３０に保持された帳票Ａの画像データを複製し、２つ目の取引処理のため作成した入金処理要求電文と複製された帳票Ａの画像データとの関連づけをおこなう。これにより、制御部１１０は、２つ目の取引処理の際に、帳票Ａの画像データを再度スキャナ３００により取得することなく、関連づけを実施することが可能となる。なお、帳票に基づく取引処理の内容は振込処理や入金処理に限らず、例えば、出金処理や両替処理などの取引処理であってもよい。また、１つの帳票に基づき、２以上の取引処理を実行させることも可能である。
【００４５】
一方、定義テーブルに帳票取扱装置１０の取引状態に該当する組み合わせが存在しない場合には（ステップＳ１２０：ＮＯ）、制御部１１０は、帳票データ記憶部１３０に保持された帳票Ａの画像データを破棄する（ステップＳ１２２）。その後、制御部１１０は、ステップ１０１に移行し、新たな帳票に対して、同じ処理を実行する。
【００４６】
以上説明した第１の実施例によれば、スキャナ３００により取得された帳票の画像データを帳票データ記憶部１３０に保持し、複製することで同一の帳票に基づいた作成された複数の電文データと関連づけることが可能となる。そのため、１つの帳票に基づいて、複数の取引処理を実行する場合でも、関連づけのために取引処理の度に同じ帳票の画像データを再度取得する必要がなくなる。これにより、オペレータの作業負担を軽減させることが可能となる。また、オペレータが誤って異なる帳票を読み込ませるといった誤操作の発生が低減できる。
【００４７】
・第２の実施例：
第２の実施例は、帳票の画像データと取引処理要求電文の関連づける方法が第１の実施例と異なるものである。はじめに、第１の実施例と第２の実施例の関連づけの方法の差異を説明する。図５は帳票画像データと取引処理要求電文の関連づけを模式的に示した例示図である。
【００４８】
図５の第１集合データＨＴ１と第２集合データＨＴ２は、それぞれ第１の実施例と第２の実施例により帳票の画像データと取引処理要求電文の関連づけがされた集合データである。第１集合データＨＴ１は、帳票の画像データと取引処理要求電文とを１対１で関連づけて、記憶装置に格納される。第２集合データＨＴ２は、帳票の画像データと対応関係のある仲介データと取引処理要求電文を関連づけて、記憶装置に格納される。第２集合データＨＴ２によれば、同じ帳票の画像データを複製して保管する必要がなくなり、記憶装置で使用する記憶容量を抑えることが可能となる。
【００４９】
第２の実施例に係る帳票取扱装置の構成と第１の実施例に係る帳票取扱装置とを比較すると、履歴処理モジュール１１６について、第１の実施例で説明した機能のほか、仲介データの生成をおこなう機能を有する。他の構成は同じであるため説明を省略する。図６を用いて第２の実施例の動作について説明する。図６は第２の実施例に係る帳票取扱装置の動作を示すフローチャートである。動作も詳細については第１の実施例と同じであるため省略して説明する。
【００５０】
端末１００は、帳票の画像データを受信する（ステップＳ２０１）。帳票データ記憶部１３０は、受信した帳票の画像データを保持する（ステップＳ２０２）。帳票の画像データは、帳票データ記憶部１３０以外の記憶装置が保持してもよい。
【００５１】
制御部１１０は、帳票データ記憶部１３０に保持された帳票の画像データと対応関係を有する仲介データを生成する（ステップＳ２０３）。ここで、対応関係を有する仲介データとは、帳票の画像データよりデータ量が小さいものであり、識別番号など、仲介データが割り振られた電文データについて帳票の画像データと対応関係にあることを示すものすべてを意味する。
【００５２】
制御部１１０は、生成した仲介データを帳票データ記憶部１３０に保持させる。（ステップＳ２０４）。制御部１１０は、ディスプレイ２００に帳票に基づいた取引画面を表示させる（ステップＳ２０５）。
【００５３】
制御部１１０は、取引必要情報に基づく取引処理をホストコンピュータ実行させるため、取引必要情報を参照して取引処理要求電文を作成し、帳票データ記憶部１３０に保持させる（ステップＳ２０６）。制御部１１０は、帳票データ記憶部１３０に保持されている仲介データを複製する。制御部１１０は、取引処理要求電文と複製された仲介データとの関連づけをおこなう（ステップＳ２０７）。制御部１１０は関連づけをおこなったデータを図示しない記憶装置に格納する。
【００５４】
制御部１１０は、ホストコンピュータから帳票に基づく取引処理が完了した通知を受信すると、新しい取引処理を実行するか否かについての確認文をディスプレイ２００に表示する。制御部１１０はキーボード４００を介して、オペレータにより入力された次取引をおこなうか否かの指示を受信し、処理を継続するか判断する（ステップＳ２１０）。制御部１１０は、取引を終了する指示を受信した場合には（ステップＳ２１０：ＮＯ）、仲介データを破棄し（ステップＳ２１１）、処理を終了する。
【００５５】
一方、制御部１１０は、次の取引処理を実行する指示を受信した場合には（ステップＳ２１０：ＹＥＳ）。次の取引処理により作成される電文データと関連づけるために帳票データ記憶部１３０に保持されている仲介データを保持するか否か判断する（ステップＳ２２０）。制御部１１０は、帳票取扱装置１０の取引状態が画像データ継続条件定義テーブルＣＴに登録された組み合わせに該当するか否かによって判断をおこなう。
【００５６】
定義テーブルに帳票取扱装置１０の取引状態に該当する組み合わせがある場合（ステップＳ２２０：ＹＥＳ）、制御部１１０は、帳票データ記憶部１３０に継続して仲介データを保持させる（ステップＳ２２１）。その後、制御部１１０は、同じ帳票に基づく次の処理についてステップ２０５からステップＳ２２２を実行する。制御部１１０は、帳票データ記憶部１３０に保持された仲介データを複製し、次の取引処理で作成された取引処理要求電文と仲介データとの関連づけをおこなう。
【００５７】
一方、定義テーブルに帳票取扱装置１０の取引状態に該当する組み合わせが存在しない場合には（ステップＳ２２０：ＮＯ）、制御部１１０は、帳票データ記憶部１３０に保持された仲介データを破棄する（ステップＳ２２２）。その後、制御部１１０は、ステップ２０１より新しい帳票の画像データを受信し、同じフローを実行する。
【００５８】
以上説明した第２の実施例によれば、帳票の画像データと対応関係を有する仲介データを用いることで帳票の画像データと取引処理要求電文との関連づけを可能となる。これにより１つの帳票に基づき、複数の取引処理を実行する場合においても、１つの取引処理の度に同じ帳票の画像データを取得する必要がない。また、取引処理要求電文と仲介データを関連づけるため、関連づけられた取引処理要求電文が複数であっても帳票の画像データは１つで足りる。そのため、保管するデータの容量を抑えることが可能となる。
【００５９】
・変形例１：
第１の実施例および第２の実施例に係る帳票取扱装置においては１つの帳票に基づく複数の取引処理すべてが完了した後に新しい帳票の画像データをスキャナ３００により取得している。しかし、取引をおこなう複数の帳票の画像データを取引処理の開始前に一度に取得し複数の帳票に基づく取引を順次実行してもよい。
【００６０】
変形例１によれば、複数の帳票による複数の取引処理をおこなう場合であってもスキャナ３００による帳票の読み込みは一度に連続しておこなうことが可能である。これにより、オペレータが同じ帳票のデータを取り込む負担を軽減させるだけでなく、過誤により同じ帳票を再度読み込ませる可能性も低減できる。
【００６１】
・変形例２：
第２の実施例では、制御部１１０は、帳票データ記憶部１３０に保持された仲介データを複製して、複数の取引処理要求電文とそれぞれ関連づけたが、仲介データは帳票の画像データと複数の取引処理要求電文との対応関係が登録されたデータベースであってもよい。この場合、帳票の画像データと取引処理要求電文との関連づけはデータベースに登録することで実行される。また、制御部１１０は、取引処理要求電文との関連づけるため、帳票データ記憶部１３０に保持されている仲介データの更新をおこなう。
【００６２】
変形例２によれば、取引処理要求電文と仲介データを関連づけるため、関連づけられた取引処理要求電文が複数であっても帳票の画像データと仲介データは１つで足りる。そのため、保管するデータの容量を抑えることが可能となる。
【００６３】
なお、この発明は上記の実施例や実施形態に限られるものではなく、その要旨を逸脱しない範囲において種々の態様において実施することが可能である。
【図面の簡単な説明】
【００６４】
【図１】第１の実施例に係る帳票取扱装置の概略構成を示す説明図である。
【図２】画像データ継続条件定義テーブルＣＴの内容を示す説明図である。
【図３】画面表示テーブルＤＴの内容を示す説明図である。
【図４】第１の実施例に係る帳票取扱装置の動作を示すフローチャートである。
【図５】帳票画像データと取引処理要求電文の関連づけを模式的に示した例示図である。
【図６】第２の実施例に係る帳票取扱装置の動作を示すフローチャートである。
【符号の説明】
【００６５】
１０…帳票取扱装置
１００…端末
１１０…制御部
１１１…メモリ
１１２…ＣＰＵ
１１３…帳票識別モジュール
１１４…電文作成モジュール
１１５…表示制御モジュール
１１６…履歴処理モジュール
１２０…出力インターフェイス
１３０…帳票データ記憶部
１４０…入力インターフェイス
１５０…ネットワークインターフェイス
２００…ディスプレイ
３００…スキャナ
４００…キーボード
５００…専用線
ＤＴ…画面表示テーブル
ＣＴ…画像データ継続条件定義テーブル
【図１】
2009026198.tif 000003
【図２】
2009026198.tif 000004
【図３】
2009026198.tif 000005
【図４】
2009026198.tif 000006
【図５】
2009026198.tif 000007
【図６】
2009026198.tif 000008